(57)【要約】【課題】小形の還元剤供給手段で適正量の還元剤を排ガスに導入しＮＯｘの除去・低減を高効率で行なえるものとする。【解決手段】ポンプ９で加圧した還元剤４をディーゼルエンジン１の廃熱を使用する加熱器１１で加熱するとともに圧力調整器１０で所定圧力として制御弁１２で所定量に調節し噴霧ノズル１４より排気管２の排ガス中に導入して気化状態で脱硝反応器３の還元触媒に接触させＮＯｘを分解する。排ガスのＮＯｘ濃度、温度をＮＯｘセンサ１７，１８，温度センサ１９で検知し電子式制御装置２０で制御弁１２，電熱式の補助加熱器１３を制御することにより完全に気化した適正量の還元剤４を導入して高効率のＮＯｘ除去・低減を図る。【選択図】　　　図１
2004068659.tif 000002
【特許請求の範囲】
【請求項１】
排ガス発生機械・設備から延びる排ガス通路に脱硝反応器が設置されており、その上流側で排ガスに導入した還元剤を前記脱硝反応器の還元触媒に気化状態で接触させることにより排ガス中のＮＯｘを分解する排ガス浄化装置において、
水溶液とした還元剤を収容する容器と、前記容器から取り出した還元剤を加圧するポンプと、加圧された還元剤を所定圧力に調整する圧力調整器と、所定圧力に調整された還元剤を前記排ガス発生機械・設備の廃熱により加熱する加熱器と、加熱された還元剤の排ガスへの導入量を調節する制御弁と、導入量を調節した還元剤を排ガス中に噴霧する噴霧ノズルとを有する還元剤供給手段を具えた、
ことを特徴とする排ガス浄化装置。
【請求項２】
請求項１に記載した排ガス浄化装置において、
前記容器、ポンプ、圧力調整器、加熱器、制御弁および噴霧ノズルに加えて、前記制御弁で導入量を調節した還元剤を更に加熱する電熱式の補助加熱器を有する還元剤供給手段を具えた、
ことを特徴とする排ガス浄化装置。
【請求項３】
排ガス発生機械・設備から延びる排ガス通路に脱硝反応器が設置されており、その上流側で排ガスに導入した還元剤を前記脱硝反応器の還元触媒に気化状態で接触させることにより排ガス中のＮＯｘを分解する排ガス浄化装置において、
水溶液とした還元剤を収容する容器と、前記容器から取り出した還元剤を加圧するポンプと、加圧された還元剤を前記排ガス発生機械・設備の廃熱により加熱気化するとともに所定圧力に調整する加熱気化・調圧器と、加熱気化・調圧された還元剤の排ガスへの導入量を調節する制御弁と、導入量を調節した還元剤を排ガス中に噴霧する噴霧ノズルとを有する還元剤供給手段を具えた、
ことを特徴とする排ガス浄化装置。
【請求項４】
請求項３に記載した排ガス浄化装置において、
前記加熱気化・調圧器が廃熱とは別に還元剤を加熱する電熱式の副加熱器を具えている、
ことを特徴とする排ガス浄化装置。
【請求項５】
請求項１または３に記載した排ガス浄化装置において、
前記排ガス通路の前記脱硝反応器上流側および下流側に設置されてＮＯｘ濃度を検知するＮＯｘセンサと、電子式制御装置とを具え、
前記制御弁は前記二つのＮＯｘセンサからの信号に基づいて前記電子式制御装置が発する動作指令により排ガスへの還元剤導入量を調節するものとされている、
ことを特徴とする排ガス浄化装置。
【請求項６】
請求項２に記載した排ガス浄化装置において、
前記排ガス通路の前記脱硝反応器上流側および下流側に設置されてＮＯｘ濃度を検知するＮＯｘセンサと、前記排ガス通路の前記脱硝反応器上流側に設置されて排ガス温度を検知する温度センサと、電子式制御装置とを具え、
前記制御弁は前記二つのＮＯｘセンサからの信号に基づいて前記電子式制御装置が発する動作指令により排ガスへの還元剤導入量を調節するものとされ、前記補助加熱器は前記温度センサからの信号に基づいて前記電子式制御装置が発する加熱指令により還元剤を更に加熱するものとされている、
ことを特徴とする排ガス浄化装置。
【請求項７】
請求項４に記載した排ガス浄化装置において、
前記排ガス通路の前記脱硝反応器上流側および下流側に設置されてＮＯｘ濃度を検知するＮＯｘセンサと、前記排ガス通路の前記脱硝反応器上流側に設置されて排ガス温度を検知する温度センサと、電子式制御装置とを具え、
前記制御弁は前記二つのＮＯｘセンサからの信号に基づいて前記電子式制御装置が発する動作指令により排ガスへの還元剤導入量を調節するものとされ、前記副加熱器は前記温度センサからの信号に基づいて前記電子式制御装置が発する加熱指令により還元剤を加熱気化するものとされている、
ことを特徴とする排ガス浄化装置。
【請求項８】
前記加熱器が所定圧力に調整された還元剤を伝熱管内を通過させながら加熱する熱交換器である請求項１または２に記載した排ガス浄化装置。
【請求項９】
前記加熱気化・調圧器が加圧された還元剤を導入して加熱気化する第一室と、加熱気化された還元剤を所定圧力に減圧して前記第一室から送出する調整弁と、減圧された還元剤を受け入れて所定圧力に維持する第二室とを有するものである請求項３または４に記載した排ガス浄化装置。
【請求項１０】
前記制御弁が手動の流量制御弁である請求項１，２，３または４に記載した排ガス浄化装置。
【請求項１１】
前記制御弁が前記電子式制御装置から送られるデューティサイクル信号に従って開閉する電磁弁である請求項５または６に記載した排ガス浄化装置。
【請求項１２】
前記制御弁が導入量を調節した還元剤を噴霧状態で送出するものであり、前記補助加熱器が噴霧状態で送出された還元剤を電気抵抗発熱体に接触させて更に加熱するものである請求項２に記載した排ガス浄化装置。
【発明の詳細な説明】
【０００１】
【発明の属する技術分野】
本発明は排ガス中に含有されているＮＯｘ（窒素酸化物）を還元剤と還元触媒とによって分解し無害化する排ガス浄化装置に関するものである。
【０００２】
【従来の技術】
ディーゼルエンジン、ボイラ、ガスタービン、コークス炉などの排ガス発生機械・設備が排出する排ガスによる大気汚染防止を図るため、排ガスに含有されているＮＯｘを除去・低減することは従前から広く行なわれており、脱硝手段として尿素またはアンモニアの水溶液を還元剤に使用し、これを排ガスに添加して還元触媒に接触させる方式を用いるのが普通である。
【０００３】
還元剤は均一に混入させるため排ガス中に噴霧させて添加するが、液体のままであると還元剤由来の固形化合物を生成してこれが還元触媒に付着堆積し、還元触媒層を目詰まりさせるので、還元剤を気化させて固形化合物が生成されないようにすることが必要とされている。
【０００４】
従来、還元剤を気化させる手段として、例えば特開平２−２０７１１９号公報、特開平５−３１３２７号公報に記載されているように、還元触媒に向かって流れる排ガス中に噴霧し排ガスがもつ熱により気化させること、特開平５−５７１４６号公報に記載されているように排ガスボイラの過熱蒸気がもつ熱により気化させてから還元触媒に向かって流れる排ガス中に噴霧すること、特開平９−３８４６６号公報に記載されているように排ガスがもつ熱により気化させてから還元触媒に向かって流れる排ガス中に混入すること、特開平５−２２０３４２号公報に記載されているように電気ヒータの熱により気化させてから還元触媒に向かって流れる排ガス中に噴霧すること、が提案されている。
【０００５】
【発明が解決しようとする課題】
前記の排ガスがもつ熱を利用して還元剤を気化させる手段は、排ガス発生機械・設備の廃熱を利用しているので気化のための特別の熱発生手段が不要である、という利点があるが、排ガス温度が還元剤気化温度よりも低いときは固形化合物の生成、ＮＯｘの大気中への大量放出という不都合を生じる。
【０００６】
一方、前記の過熱蒸気或いは電気ヒータを用いて気化させてから還元触媒に向かって流れる排ガス中に導入する手段は、排ガス温度の高低にかかわらず還元触媒の活性温度であればＮＯｘの除去・低減という目的を達成させることができる。しかし、過熱蒸気のように排ガス発生機械・設備で得た熱、或いは電気ヒータのような別途手段で得た熱により常温の還元剤を気化温度まで一挙に加熱するには、高温度の熱または大容量の加熱装置を必要とし、殊に過熱蒸気のようなきわめて高温度の加熱用媒体が得られない排ガス発生機械・設備にあっては更に大容量の加熱装置が要求される。また、電気ヒータ熱を使用するものにあっては無視できない量の電力を消費し、殊にディーゼルエンジンの排ガス浄化のためエンジン備え付けの発電機で得た電力を使用しようとすると、エンジンの燃料消費量増大、発電機の大容量化を避けられないという問題を生じる。
【０００７】
本発明は還元剤を加熱気化して還元触媒に接触させＮＯｘを分解することにより排ガス中のＮＯｘを除去・低減する排ガス浄化装置において、還元剤を確実且つ完全に気化して還元触媒に接触させることができる小形の設備であって経費面で有利に運用される還元剤供給手段を具えたものがなかった、という前記課題を解決するためにされたものであり、小形の設備で低運用経費であることに加えて、ＮＯｘ含有量や排ガスの温度にかかわらず常に適正量の還元剤を導入してすぐれた排ガス浄化機能を発揮させることができるものとすることを目的とする。
【０００８】
【課題を解決するための手段】
本発明は排ガス発生機械・設備から延びる排ガス通路に脱硝反応器が設けられており、その上流側で排ガスに導入した還元剤を脱硝反応器の還元触媒に気化状態で接触させることにより排ガス中のＮＯｘを分解する排ガス浄化装置について、この排ガス浄化装置に具えさせる還元剤供給手段を次のようにしたことをもって前記課題を解決するための第一手段とした。
【０００９】
即ち、第一手段に係る還元剤供給手段は水溶液とした還元剤を収容する容器と、この容器から取り出した還元剤を加圧するポンプと、加圧された還元剤を所定圧力に調整する圧力調整器と、所定圧力に調整された還元剤を排ガス発生機械・設備の廃熱により加熱する加熱器と、加熱された還元剤の排ガスへの導入量を調節する制御弁と、導入量を調節した還元剤を排ガス中に噴霧する噴霧ノズルとを有するものとした。
【００１０】
次に、前記課題を解決するための第二手段として、前記の排ガス浄化装置に具えさせる還元剤供給手段を第一手段における容器、ポンプ、圧力調整器、加熱器、制御弁および噴霧ノズルに加えて、制御弁で導入量を調節した還元剤を更に加熱する電熱式の補助加熱器を有するものとした。
【００１１】
還元剤をポンプおよび圧力調整器で一定の所定圧力とし、これを廃熱利用の加熱器で加熱し制御弁で送入量を調節して排ガス中に噴霧させるものとした第一、第二手段によると、前記従来技術における高温のボイラ加熱蒸気や加熱空気中に還元剤を噴霧させて気化し、蒸気や空気と気化還元剤との混合物を排ガスに導入させる、という手法と比較して容易に適正量の還元剤を供給しＮＯｘの除去・低減を高効率で行なうことができる。
【００１２】
即ち、加熱器で還元剤を気化できればそのまま気化状態で還元触媒に接触させることができるが、気化できなくても排ガスが還元剤気化温度よりも高温であれば排ガス通路に噴霧したとき排ガスによる少しの加熱で容易に気化し、排ガスが還元剤気化温度よりも低温である場合は第二手段を採用することにより補助加熱器で気化させることができる。還元剤は加熱器で加熱されているので、補助加熱器で少し加熱するだけで気化する。このように、第一、第二手段によるとポンプ、圧力調整器、加熱器、制御弁、噴霧ノズルまたはこれらに加えて補助加熱器からなる全体が小形且つ簡単な設備であって、経費面で有利に運用できる還元剤供給手段を具えたものとする、という目的を達成することができるものである。
【００１３】
また、前記課題を解決するための第三手段として、前記の排ガス浄化装置に具えさせる還元剤供給手段を第一手段における容器、ポンプ、制御弁、噴霧ノズルに加えてポンプで加圧された還元剤を排ガス発生機械・設備の廃熱により加熱気化するとともに所定圧力に調整する加熱気化・調圧器を有するものとした。
【００１４】
更に、前記課題を解決するための第四手段として、前記の排ガス浄化装置に具えさせる還元剤供給手段を第三手段における容器、ポンプ、加熱気化・調圧器、制御弁および噴霧ノズルに加えて、加熱気化・調圧器に廃熱とは別に還元剤を加熱気化する電熱式の副加熱器を具えさせたものとした。
【００１５】
これら第三、第四手段によると、第一、第二手段と同様に完全に気化した還元剤を還元触媒に接触させることができることに加えて、第一、第二手段における圧力調整器と加熱器とが加熱気化・調圧器に一体化されたことによって、設備が更に小形且つ簡単なものになる、という利点がある。
【００１６】
更にまた、排ガスのＮＯｘセンサと電子式制御装置とを具えた第五手段、または排ガスのＮＯｘセンサおよび温度センサと電子式制御装置とを具えた第六、第七手段によると、制御弁による還元剤導入量をＮＯｘ含有量に応じて更に適確に調節して過不足なく導入し排ガス浄化効果を向上させることができ、また排ガス温度に応じて補助加熱器または副加熱器により還元剤を完全に気化して導入し脱硝反応器の排ガス浄化機能を永続させることができる。
【００１７】
【発明の実施の形態】
図面を参照して本発明の実施の形態を説明すると、図１，図２および図３は発電機用ディーゼルエンジンの排ガス浄化に本発明を適用したそれぞれ異なる形態を示す配置図であって、本発明における排ガス発生機械・設備はディーゼルエンジン１であり、排ガス通路は排気管２である。排気管２は脱硝反応器３を具えているとともに、その上流側および下流側にＮＯｘセンサ１７，１８が設置され、且つ上流側に温度センサ１９が設置されている。
【００１８】
還元剤４は尿素またはアンモニアの水溶液であって、補充可能な容器６に収容されている。この容器６から延びる還元剤供給管７にはポンプ９，加熱器１１または加熱気化・調圧器３１，制御弁１２が順に設けられており、その先端は排気管２の脱硝反応器３上流側に設置されて脱硝反応器３へ向けて開口した噴霧ノズル１４に接続されている。
【００１９】
図１，図２に示した実施の形態において、還元剤供給管７のポンプ９と加熱器１１との間から戻し管８が分岐しており、この戻し管８は圧力調整器１０を経て容器６に接続されている。また、加熱器１１は図１に示した形態においてはディーゼルエンジン１の冷却水または潤滑油が管路１５を通って循環し、図２に示した形態においてはディーゼルエンジン１の燃焼室から排出された直後の排ガスが管路１６を通って通過することにより、還元剤４をエンジン廃熱で加熱するものであり、器内の伝熱管内を還元剤４が通過しながら並流または向流する加熱用媒体によって加熱される熱交換器である。更に、図１，図２に示したものは制御弁１２の出口側に補助加熱器１３を具えている。
【００２０】
ここで、還元剤４によっては管内を流れている状態で気化温度に加熱して気化させるよりも、噴霧状態で加熱気化させることが好ましいことがある。加熱器１１の加熱用媒体に排ガスを用いている図２の形態においては、このような場合を考慮して加熱器１１内の還元剤温度を検知する温度センサ２５と、管路１６の排ガス流量を調節する流量調節弁２６とを設け、還元剤４が気化温度以下に加熱された状態で制御弁１２に送られるように加熱器１１への排ガス導入量、即ち加熱の熱量を制限するようにした。
【００２１】
図３に示した実施の形態において、還元剤供給管７のポンプ９と制御弁１２との間に設置された加熱気化・調圧器３１はポンプ９で加圧した還元剤４が導入される第一室３２と、第一室３２で加熱気化された還元剤４を受け入れて所定圧力に維持する第二室３３と、第一室３２と第二室３３とを連通・遮断する調整弁３４とを有している。第一室３２はディーゼルエンジン１の燃焼室から排出された直後の排ガスが管路３５を通って通過するジャケット３６に囲まれて還元剤４を加熱気化する。第二室３３はダイヤフラム３７によって容積可変であり、圧力低下により第二室３３の方へ変位するダイヤフラム３７に連動する調整弁３４が開弁し、第一室３２の還元剤４を減圧して第二室３３に送出する。第二室３３の圧力が上昇するとダイヤフラム３７が反対側へ変位して調整弁３４を閉弁させることにより、第二室３３の還元剤４は所定圧力に維持されることとなる。
【００２２】
尚、排ガスを用いて還元剤４を加熱気化するようにした図３の実施の形態において、排ガス温度が気化温度よりも低い場合に気化温度まで加熱する電熱式の副加熱器３８が第一室３２に付設されている。この副加熱器３８は電気抵抗発熱体をコイル状または板状に形成し第一室３２の壁に沿って配置した構成とされ、排ガスの不足熱量を補って第一室３２内の還元剤４を気化温度に加熱するものである。
【００２３】
図１，図２の実施の形態における補助加熱器１３は電気抵抗発熱体をコイル状またはハニカム状に形成し全体として表面積、即ち熱放射面が大きいものとしており、制御弁１２は出口をノズル状として還元剤４を噴霧状態で補助加熱器１３の高温雰囲気中に送出し、望ましくはその全部、少なくとも大半が電気抵抗発熱体に接触して直接加熱されるものとしている。そして、この補助加熱器１３は未気化の還元剤４または不完全気化の還元剤４を完全に気化させるように働く。
【００２４】
更に、各実施の形態においては電子式制御装置２０が準備されており、ＮＯｘセンサ１７，１８が検知した脱硝反応器３の上流側および下流側の排ガス中のＮＯｘ濃度、温度センサ１９が検知した脱硝反応器３の上流側の排ガス温度が電子式制御装置２０に入力される。加えて、図２の実施の形態では温度センサ２５が検知した加熱器１１内の還元剤４の温度が電子式制御装置２０に入力される。
【００２５】
制御弁１２は手動の流量制御弁であってもよいが、本実施の形態では所定のデューティサイクルで開閉を繰り返す電磁弁が用いられており、ＮＯｘセンサ１７，１８からの信号に基づいて電子式制御装置２０が発する動作指令、即ちデューティサイクル信号に従って開閉し噴霧ノズル１４から排ガス中に噴霧導入する還元剤４の量を調節する。一般には、上流側ＮＯｘセンサ１７からの信号に基づいて導入量を設定し、下流側ＮＯｘセンサ１８からの信号に基づいて導入量を補正するものであり、このことによりＮＯｘ含有量の多少にかかわらず適正量の還元剤４を導入し脱硝反応器３の還元触媒と協働してＮＯｘを分解し、ＮＯｘが除去または排ガス規制適合範囲に低減された排ガスを大気に放出することができる。
【００２６】
補助加熱器１３および副加熱器３８は温度センサ１９からの信号に基づいて電子式制御装置２０が発する加熱指令、即ち電気抵抗発熱体への通電のオン・オフ信号に従って、還元剤４を加熱し気化させる。一般には、排ガス温度が水溶液の還元剤４の気化温度よりも低いときに補助加熱器１３による加熱を行なうものであるが、図１の実施の形態にあっては、加熱器１１に導入される冷却水または潤滑油の温度が還元剤４の気化温度よりも低いのが通常であり、図２の実施の形態にあっては加熱器１１に導入される排ガスを制限して還元剤４を気化させないようにしていることから、補助加熱器１３は一般に常時使用される。また、図３の実施の形態にあっては、加熱気化・調圧器３１に導入される排ガスの温度が還元剤４の気化温度よりも低い時期に限っての副加熱器３８の限定使用が好適である。
【００２７】
このように、廃熱利用の加熱器１１と電熱利用の補助加熱器１３とによって還元剤４を二段階に加熱して噴霧ノズル１４から完全に気化した還元剤４が噴霧されるようにした図１，図２の実施の形態によると、還元剤４が加熱器１１で液体の状態のままかなり高温に加熱されるので、補助加熱器１３による僅かな加熱で気化する。また、図３の実施の形態における副加熱器３８も同様であるが、排ガスの温度が還元剤４の気化温度よりも高いときは副加熱器３８で加熱しなくても加熱気化・調圧器３１で完全に気化する。
【００２８】
即ち、補助加熱器１３および副加熱器３８は廃熱による加熱不足を解消する補助加熱手段であり、常時通電して還元剤４の状態に関係なく加熱するようにしても僅かな電力消費量で足り、また排ガス温度によってオン・オフさせることにより更に電力消費量が節約されるので、運用経費を低減することができる。
【００２９】
前記図１，図２の実施の形態における容器６，ポンプ９，圧力調整器１０，加熱器１１，制御弁１２，補助加熱器１３および噴霧ノズル１４，図３の実施の形態における容器６，ポンプ９，加熱気化・調圧器３１，制御弁１２，副加熱器３８および噴霧ノズル１４はそれぞれ還元剤供給手段５を構成する。また、各実施の形態における制御弁１２，ＮＯｘセンサ１７，１８および電子式制御装置２０は還元剤導入量調節手段２１を構成する。更に、図１，図２の補助加熱器１３，温度センサ１９および電子式制御装置２０，図３の副加熱器３８，温度センサ１９および電子式制御装置２０，図３の副加熱器３８，温度センサ１９および電子式制御装置２０はそれぞれ還元剤気化補助手段２２を構成する。
【００３０】
ここで、副加熱器３８，電子式制御装置２０を具えない第三手段に係る還元剤供給手段５は、排ガス発生機械・設備が還元剤４の気化温度よりも高温の廃熱を発生するボイラ、ガスタービン、コークス炉などであるものに具えさせるのが好適であり、この場合は還元剤４としてアンモニア水溶液を使用するのが好ましい。。
【００３１】
また、加熱器１１と補助加熱器１３とを併用し、或いは加熱気化・調圧器３１と副加熱器３８とを併用しているが電子式制御装置２０を具えない第二手段、第四手段に係る還元剤供給手段５は、排ガス発生機械・設備が発生する廃熱温度が還元剤４の気化温度よりも低いもの或いは気化温度を境に変動するものに具えさせるのが好適である。
【００３２】
尚、これら第一乃至第四手段においては、制御弁１２として手動の流量制御弁が使用される。
【００３３】
次に、ＮＯｘセンサ１７，１８，電子式制御装置２０を具えさせて、制御弁１２による還元剤導入量を調節するようにした第五手段に係る還元剤供給手段５は、排ガスのＮＯｘ含有量に応じた適正量の還元剤４を供給して排ガス浄化効果を効率よく向上させることができる。
【００３４】
更に、ＮＯｘセンサ１７，１８，温度センサ１９，電子式制御装置２０を具えさせて制御弁１２による還元剤導入量の調節と補助加熱器１３または副加熱器３８による還元剤４の完全気化とを行なうようにした第六、第七手段に係る還元剤供給手段５は、排ガス浄化効果を向上させることに加えて、還元触媒が目詰まりする心配を完全になくして排ガス浄化機能を永続させることができる。
【００３５】
更にまた、第一、第二手段に係る還元剤供給手段５によると、ディーゼルエンジン１の冷却水または潤滑油のように還元剤４の気化温度よりも低温の廃熱を用いて加熱器１１により還元剤４を加熱し、次にこれを気化温度よりも高温の排ガス中に噴霧ノズル１４より噴霧するか、或いは制御弁１２から気化温度よりも高温とした補助加熱器１３の内部に噴霧することによって瞬時に気化させることができ、このような用法は還元剤４として尿素水溶液を使用する場合に好ましい。
【００３６】
更に加えて、前記第一、第二手段における還元剤供給手段５の圧力調整器１０はポンプ９が吐出した還元剤４の一部を戻し管８を経て容器６に戻すことにより、また前記第三、第四手段における還元剤供給手段５の加熱気化・調圧器３１はそれ自身が加熱気化させた還元剤４の圧力を一定にすることにより、いずれも制御弁１２に送入される還元剤４の圧力を一定の所定圧力に保つものであり、制御弁１２で調節された所要量の還元剤４を排ガス中に導入し、排ガス浄化の目的を確実に達成させることができる。
【００３７】
【発明の効果】
以上のように、本発明によると容器から噴霧ノズルに至る還元剤経路にポンプ、圧力調整器、加熱器、制御弁またはポンプ、加熱気化・調圧器、制御弁を設けた全体として小形の設備で適正量の還元剤を排ガス中に導入し、ＮＯｘの除去・低減を高効率で行なうことができる。加えて、廃熱利用の加熱器または加熱気化・調圧器の補助手段として電熱利用の補助加熱器または副加熱器を併用し、更に排ガスのＮＯｘ濃度や温度に応じて制御弁による還元剤導入量や補助加熱器、副加熱器のオン・オフを行なわせるものとした本発明によると、より適正量の還元剤で排ガス浄化効果の更なる向上、排ガス浄化機能の永続を図ることができる。
【図面の簡単な説明】
【図１】本発明の実施の形態を示す配置図。
【図２】本発明の異なる実施の形態を示す配置図。
【図３】本発明の更に異なる実施の形態を示す配置図。
【符号の説明】
１　ディーゼルエンジン，２　排気管，３　脱硝反応器，４　還元剤，５　還元剤供給手段，６　容器，９　ポンプ，１０　圧力調整器，１１　加熱器，１２制御弁，１３　補助加熱器，１４　噴霧ノズル，１７，１８　ＮＯｘセンサ，１９　温度センサ，２０　電子式制御装置，３１　加熱気化・調圧器，３８　副加熱器，
【図１】
2004068659.tif 000003
【図２】
2004068659.tif 000004
【図３】
2004068659.tif 000005